(57)【特許請求の範囲】
【請求項１】
紙葉類を挟持するフォルダー部を有する文房具（但し、背見出収納具を除く。）であって、
該フォルダー部は二つの平面で紙葉類が挟持され、
前記二つの平面は全体が開閉可能に装着され、
前記フォルダー部外周部の１辺にヒンジ部が設置され、
該外周部の他の辺は、前記二つの平面が開閉可能なとめ具付起立部が設置され、
前記二つの平面いずれか一方の面に紙葉類が貫通されて支持される突起、及び他方の面に当該面を破損しないようにする突起受が設置された、
ことを特徴とするフォルダー部を有する文房具。
【請求項２】
紙葉類を挟持する文房具であるインデックスであって、
該インデックスのフォルダー部は二つの平面で紙葉類が挟持され、
前記二つの平面は全体が開閉可能か又は取外可能に装着され、
前記フォルダー部外周部の少なくとも一辺に、二つの平面が開閉可能か又は取外可能なとめ具付起立部が設置され、
前記フォルダー部にのりしろ部が設置され、
前記二つの平面いずれか一方の面に紙葉類が貫通されて支持される突起、及び他方の面に当該面を破損しないようにする突起受が設置された、
ことを特徴とするインデックス。
【請求項３】
紙葉類保持可能起立部が設置されたか又は当該目的実現可能な起立具が添付された請求項１のフォルダー部を有する文房具。
【発明の詳細な説明】
【技術分野】
【０００１】  扁平型フォルダー部を有する文房具に関する。
【背景技術】
【０００２】  本発明は、新規な物品を提供する発明である。
本発明は、扁平状のフォルダー部を有し、かつ二つの平面で紙葉類が挟持される文房具において、当該フォルダー部を構成する二つの平面全体を開閉可能か又は取外可能に装着し、かつ当該フォルダー部を有する文房具のフォルダー部に紙葉類が貫通されて支持される突起、及び他の面を破損しないようにする突起受が設置された文房具を提供するものである。
これまでの調査によれば、紙葉類が挟持されるフォルダー部を有する文房具において、当該フォルダー部を構成する二つの平面全体が開閉可能か又は取外可能に装着され、かつ当該フォルダーに挟持される紙葉類が貫通され支持される突起が設置された商品も従来技術文献もない。
しかしながら従来技術文献において、本発明に比較的近いと思われるものは以下のとおりである。
上部に穴を開け、台板に突起を設置して掲示するカレンダーに関する技術を提案した文献がある。（例えば、特許文献１参照）。しかしこの技術は開閉可能なフォルダー部有し、当該フォルダー部において紙葉類を挟持するフォルダー部を有する文房具に関する技術ではない。（特許文献１参照）。
また、背表紙標題紙の見出し保持具において、スライド式の天部端に着脱口を設置し、標題紙を着脱する技術を提案した文献がある。（例えば、特許文献２参照）。
この技術は、標題紙を背表紙部に沿って上下にスライドさせ、フォルダー部に突起が設置されている。しかし、当該文献のフォルダー部全体は開閉可能ではない。また、当該突起は、紙葉類を貫通させ挟持させるものではない。（特許文献２参照）。
また、簡単に見出し交換をすることができるインデックスと書類ファイルに関する技術を提案した文献がある。（例えば、特許文献３参照）。
この技術は、透光性シートを二つ折にしたインデックスであるが、当該二つ折のインデックスに挿入する標題紙の脱落防止のための突起は設置されていない。（特許文献３参照）。
また、容積の調整が可能な折り畳み式書類ファイルで、突起が設置される技術を提案した文献がある。（例えば、特許文献４参照）。
この技術は、フォルダー部全体が開閉可能ではない。また、当該突起は、挿入する紙葉類を貫通させ支持させるものではない。（特許文献４参照）。
【先行技術文献】
【特許文献】
【０００３】
【特許文献１】  特開２００２−１０３８４９号公報
【特許文献２】  実開平５−７４８８１号公報
【特許文献３】  特開２００５−９６１６３号公報
【特許文献４】  特表平９−５０３７１４号公報
【発明の概要】
【発明が解決しようとする課題】【発明の概要】
【０００４】
本発明は、扁平状のフォルダー部を有し、かつ二つの平面で紙葉類が挟持される文房具において、当該フォルダー部を構成する二つの平面全体を開閉可能か又は取外可能に装着し、かつ当該フォルダー部を有する文房具のフォルダー部に紙葉類が貫通されて支持される突起、及び他の面を破損しないようにする突起受が設置された文房具を提供するものである。
【課題を解決するための手段】
【０００５】  フォルダー部を構成する二つの平面を開閉可能か又は取外可能に装着し、どちらか一方又は双方の平面に挟持される紙葉類の脱落防止可能な突起を設置する。
【発明の効果】
【０００６】  本発明によって、紙葉類の着脱交換が容易であり、かつ挟持される紙葉類の脱落防止を図ることができる文房具を提供することができる。
従来の技術にはない新しい技術であり、新たな消費者ニーズの発掘、市場拡大が期待できる。
【図面の簡単な説明】
【０００７】
【図１】本発明の請求項１のヒンジ部、とめ具付起立部、及び突起と突起受の位置関係の一例を示すため、蓋部がドア形式に開閉可能な背見出収納具にそれぞれが設置された模様を示した斜視図である。
【図２】請求項２に基づいて作成されたインデックスの一例を表した正面図である。
【図３】請求項３に基づいて作成されたクリアファイルの一例を示した正面図である。
【図４】請求項１及び請求項２の突起の１例を拡大して示した拡大正面図である。
【図５】図４の突起受の１例を拡大して示した拡大平面図である。
【図６】図５の突起受の拡大正面図である。
【図７】図１、図２及び図３のとめ具付起立部のとめ具が係合した模様の１例を示した拡大模式図である。
【発明を実施するための形態】
【総記】
【０００８】本請求項３の紙葉類保持可能起立部として、請求項１及び請求項２のとめ具付起立部を使用することができるものとする。
本発明の各請求項に基づく各部の素材の選定、構造、組み立て方等及び本明細書に記載された事項に基づく対応は本発明の設計事項とする。また本発明の背見出収納部各部にカラーの素材を使用すること、縁取りを設けること、フリル等を設置することは、本発明の範囲とする。
【実施例１】
【０００９】  実施例１は、背見出収納部に関するものである。
図１は、請求項３に基づいて作成された背見出収納具がファイリング用具の背表紙部に設置された模様の一例を示した斜視図である。
図４は、請求項１及び請求項２の突起の１例を拡大して示した拡大正面図である。
図５は、図４の突起受の１例を拡大して示した拡大平面図である。
図６は、図５の突起受の拡大正面図である。
図７は、図１、図２及び図３のとめ具付起立部のとめ具が係合した模様の１例を示した拡大模式図である。
突起は、一方の表紙に突起を設置し、他方の表紙に突起受を設置する。突起受は、突起によって他方の表紙を破損しないようにするために設置するものである。
図１、及び図４〜図６において、突起及び突起受に設置されている地部側の円盤は当該突起及び突起受を固持する役目を果たすパッチである。
突起は、必ずしも直線で、垂直に設置する必要はない。湾曲させたものや付け根より先端を太くして、脱落防止の目的を向上させることもできる。突起の高さ、形状等は、目的に沿って検討する必要がある。
【実施例２】
【００１０】  実施例２は、インデックスに関するものである。
図２は、請求項２に基づいて作成されたインデックスの一例を表した正面図である。
本実施例は、インデックス左右面を分離した図となっているが、当該図のとめ具付起立部側の縁を連接し、ハサミ等で切り離して使用するインデックスとすることも可能である。
【実施例３】
【００１１】  実施例３は、クリアファイルに関するものである。
クリアファイルには、隣接する二辺を閉じたものと、一辺だけ閉じたものがあるが、本実施例は一辺だけ閉じたクリアファイルに関するものである。
図３は、請求項３に基づいて作成されたクリアファイルの一例を示した正面図である。
本実施は、簡易な綴具付クリアファイルとなるものである。
本発明の最良の実施形態は、実施例３である。
図７は、図１、図２及び図３のとめ具付起立部のとめ具が係合した模様の１例を示した拡大模式図である。
【その他】
図７は、請求項５に基づいて作成された背見出収納具の一例を示した正面図である。
図８は、請求項５に基づいて作成された背見出収納具の一例を示した正面図である。
図１０は、図７のとめ具付起立部のとめ具が係合した模様の１例を示した拡大模式図である。
【符号の説明】
【００１２】（背見出収納部）
Ａ  表側シートがドア形式に開閉可能な背見出収納部下地シート
Ｂ  表側シートがドア形式に開閉可能な背見出収納部表側シート
Ａ２  表側シートがドア形式に開閉可能な背見出収納部下板
Ｂ２  表側シートがドア形式に開閉可能な背見出収納部表板
Ｃ２  表側シートがドア形式に開閉可能な背見出収納部折畳式ヒンジ部
Ａ３  表側シートが取外可能な背見出収納部下板
Ｂ３  表側シートが取外可能な背見出収納部表板
（インデックス）
Ｅ  インデックス第１片
Ｆ  インデックス第２片
Ｇ  インデックスのりしろ部
（クリアファイル）
Ｊ  クリアファイル第１表紙
Ｋ  クリアファイル第２表紙
Ｌ  クリアファイル折畳式ヒンジ部
（Ｘ  突起）
ｘ−１  突起
ｘ−２  突起受
ｘ２−１  突起
ｘ２−２  突起受
ｘ３−１  突起
ｘ３−２  突起受
（Ｙ  係止部）
ｙ−１  起立部が係止部として設置されたもの（２つの平面がドア形式に開閉可能な背見出収納具）
ｙ３−１  クリアファイル第１表紙の係止部
ｙ３−２  クリアファイル第２表紙の係止部
（とめ具付起立部）
ｄ−１  背見出収納具に設置されたとめ具付起立部（受部）
ｄ−２  背見出収納具に設置されたとめ具付起立部（差込部）
ｄ２−１  インデックスに設置されたとめ具付起立部（受部）
ｄ２−２  インデックスに設置されたとめ具付起立部（差込部）
ｄ３−１  クリアファイルに設置されたとめ具付起立部（受部）
ｄ３−２  クリアファイルに設置されたとめ具付起立部（差込部）
【要約】
【課題】二つの平面で紙葉類が挟持される開閉可能又は取外可能な蓋部を有する扁平状のフォルダー部を持った文房具において、挟持される紙葉類の脱落防止を図る。
【解決手段】紙葉類フォルダー部は、全体が開閉可能か又は取外可能に装着され、かつ挟持される紙葉類が貫通されて支持される突起が設置される。また、紙葉類脱落防止可能係止部及び紙葉類保持可能起立部が設置される。
【選択図】図３【図１】
0005211308.tif 000002
【図２】
0005211308.tif 000003
【図３】
0005211308.tif 000004
【図４】
0005211308.tif 000005
【図５】
0005211308.tif 000006
【図６】
0005211308.tif 000007
【図７】
0005211308.tif 000008